(57)【特許請求の範囲】
【請求項１】
前面部側に遊技操作部(30 〜36) が設けられた筐体(2) の内部に基板ボックス(60)を配設してなるスロットマシンにおいて、
前記基板ボックス(60)は、筐体(2) に取外し可能に装着されたボックス本体(61)と、このボックス本体(61)の内部に収容される電源回路基板(65)と、ボックス本体(61)の外部に露出又は臨ませる部分を有する複数の外部側電気部品(70 〜80) とを備え、
前記複数の外部側電気部品(70 〜80) の全てを前記電源回路基板(65)に実装し、
前記ボックス本体(61)が、少なくともその一面側に電源回路基板(65)を出し入れ可能な開口部(61e,61f) を有し、前記電源回路基板(65)をボックス本体(61)の開口部(61e) と反対側の側壁(61d) に固定し、前記開口部(61e,61f) が筐体(2) の内面に近接又は当接して、その開口部(61e,61f) を前記筐体(2) の内面で閉塞するように、ボックス本体(61)を配置したことを特徴とするスロットマシン。
【請求項２】
前記ボックス本体(61)の側壁(61d) は矩形板状に形成され、
前記電源回路基板(65)は、前記側壁(61d) よりも小さい矩形板状に形成され、前記側壁(61d) の４隅に形成された４つのボス部にビス(63a) を介して取外し可能に固定されたことを特徴とする請求項1 に記載のスロットマシン。
【請求項３】
前記複数の外部側電気部品(70 〜80) の一部をボックス本体(61)の内部から外部へ露出又は臨ませる複数の開口(70a〜80b)を、ボックス本体(61)に形成したことを特徴とする請求項１又は２に記載のスロットマシン。
【請求項４】
前記複数の外部側電気部品(70 〜80) は、スイッチ(70,71,72,73,76)、表示ランプ(74)、接続用端子(77,78,79,80) 、ヒューズ(75)、の少なくとも１つを含むことを特徴とする請求項１〜３の何れかに記載のスロットマシン。
【発明の詳細な説明】
【０００１】
【発明の属する技術分野】
本発明はスロットマシンに関し、特に、筐体内部の基板ボックスに収容した電源回路基板に、複数の外部側電気部品の全てを実装し、これらの一部を外部へ露出又は臨ませるようにした技術に関する。
【０００２】
【従来の技術】
従来、スロットマシンの筐体の内部には、複数（例えば、３つ）の回転リール、これら回転リールを駆動するリール駆動装置、複数の回転リールの回転停止制御を行うリール制御回路を有する主制御基板、ランプ制御や音声制御を行う副制御基板、回転リールが回転停止した時の停止図柄によってメダルを払出すメダル払出し装置等と共に、これらの装置や基板等に電源を供給する電源回路基板を有する電源基板ボックスが設けられている。
【０００３】
一般的な電源基板ボックスはボックス本体を有し、このボックス本体に電源回路基板が収容されている。また、電源回路基板に電気的に接続されて、外部から操作が行われるスイッチ、外部への表示を行う表示ランプ、主制御基板や副制御基板に接続する配線の為の接続用端子、ヒューズ、等々の複数の外部側電気部品が設けられている。但し、複数の外部側電気部品の少なくとも一部品は、電源回路基板以外の、ボックス本体やその他の取付け部等に個別に装着されている。
【０００４】
【発明が解決しようとする課題】
従来のスロットマシンにおいて、前記電源回路基板に電気的に接続される外部側電気部品を、電源回路基板以外の取付部に取付けた場合、その外部側電気部品と電源回路基板とを電気的に接続する接続構造が複雑になるし、別途取付け部を必要とする外部電気部品の取付け構造も複雑になり、製作コストが高価になる。
【０００５】
しかも、複数の外部電気部品の少なくとも一部品を個別に取付けるようにした場合には、これら外部電気部品の取付け作業も煩雑になり、依って、複数の外部電気部品の交換やメンテナンス等のために行う取外し作業も煩雑になる。
【０００６】
本発明の目的は、複数の外部側電気部品の全てを電源回路基板に実装し、これら外部側電気部品の取付構造等を簡単化すると共に、複数の外部側電気部品の取付け作業及び取外し作業を簡単に行うことができるスロットマシンを提供することである。
【０００７】
【課題を解決するための手段】
本願のスロットマシンは、前面部側に遊技操作部が設けられた筐体の内部に基板ボックスを配設してなるスロットマシンにおいて、前記基板ボックスは、筐体に取外し可能に装着されたボックス本体と、このボックス本体の内部に収容される電源回路基板と、ボックス本体の外部に露出又は臨ませる部分を有する複数の外部側電気部品とを備え、前記複数の外部側電気部品の全てを前記電源回路基板に実装し、前記ボックス本体が、少なくともその一面側に電源回路基板を出し入れ可能な開口部を有し、前記電源回路基板をボックス本体の開口部と反対側の側壁に固定し、前記開口部が筐体の内面に近接又は当接して、その開口部を前記筐体の内面で閉塞するように、ボックス本体を配置したことを特徴とするものである。
【０００８】
複数の外部側電気部品の全てを電源回路基板に実装したので、これら外部側電気部品と電源回路基板とを電気的に接続する接続構造を簡単化することができる。また、この電源回路基板をボックス本体の内部に収容して取付けることで、複数の外部側電気部品を全て取付けることができるため、これら外部側電気部品の取付け構造を簡単化することができ、結果、製作コスト的に有利になる。そして、ボックス本体は筐体に取外し可能に装着され、このボックス本体に対して、電源回路基板と一体的に、複数の外部側電気部品を全て一括的に取付けることができるため、その取付け作業を簡単に行うことができ、また、交換やメンテナンス等のために行う取外し作業も簡単に行うことができる。
【０００９】
また、ボックス本体に、少なくともその一面側に電源回路基板を出し入れ可能な開口部を形成し、その開口部が筐体の内面に近接又は当接してその開口部を筐体の内面で閉塞するように、ボックス本体を配置したので、このボックス本体を簡単な構造にすると共に、ボックス本体を筐体から取外した状態で、ボックス本体への電源回路基板の出し入れが容易になり、ボックス本体を筐体に装着した状態で、ボックス本体の内部に電源回路基板等を外部と確実に遮蔽して収容することができる。
【００１０】
ここで、前記ボックス本体の側壁を矩形板状に形成し、前記電源回路基板を前記側壁よりも小さい矩形板状に形成して、前記側壁の４隅に形成された４つのボス部にビスを介して取外し可能に固定することが好ましい。
【００１１】
また、前記複数の外部側電気部品の一部をボックス本体の内部から外部へ露出又は臨ませる複数の開口を、ボックス本体に形成することが好ましく、この場合、複数の外部側電気部品の一部だけを外部へ露出又は臨ませて、その他の電源回路基板等を外部と確実に遮蔽してボックス本体の内部に収容することができ、ボックス本体に対して、電源回路基板と共に複数の外部側電気部品の取付けと取外しを容易に行うことが可能となる。尚、前記複数の外部側電気部品は、スイッチ、表示ランプ、接続用端子、ヒューズ、の少なくとも１つを含むものとする。
【００１２】
【発明の実施の形態】
以下、本発明の実施の形態について図面を参照しながら説明する。本実施形態は、遊技媒体としてのメダルを１〜３枚投入し、遊技開始レバーを操作して３つの回転リールを回転させ、その後、３つの停止ボタンを順次操作して回転する３つの回転リールを順次停止させ、その時、３つの回転リールに夫々印された複数の図柄のうち、表示窓に表示された停止図柄に応じて遊技結果が決まるスロットマシンに、本発明を適用した場合の一例である。
【００１３】
図１、図２に示すように、スロットマシン１は正面視矩形の筐体２を有し、筐体２の前面部側には複数の遊技操作部３０〜３６が設けられている。筐体２は、遊技ホールの島構造体（図示略）に固定的に取付けられる前方開放状の収容ケース部３と、収容ケース部３に枢支されて収容ケース部３の前側を開閉可能なドア部４とを有する。
【００１４】
図１に示すように、ドア部４の上部に、上部ランプ５〜７と遊技説明表示パネル８とが設けられ、その下側に、イルミネーションランプ９，１０と図柄表示器１１とが設けられている。ドア部４の中段部分は、他の部分に対して少し前方へ突出する中段フレーム１２に形成され、表示器１１及びイルミネーションランプ９，１０と中段フレーム１２との間に遊技パネル１３が設けられている。
【００１５】
遊技パネル１３には、その中央部分に大きく３つの表示窓２０〜２２が形成され、これら表示窓２０〜２２の周辺に、メダル投入枚数表示器２３、遊技開始有効表示器２４、メダル貯留枚数表示器２５、特別遊技回数表示器２６、メダル払出枚数表示器２７、遊技状態表示器２８等が設けられている。
【００１６】
中段フレーム１２の上面部側に、遊技操作部である貯留メダル清算ボタン３０と貯留メダル投入１ボタン３１と貯留メダル投入２ボタン３２と、メダル投入口３７とが設けられ、前記中段フレーム１２の前面部側に、遊技操作部である遊技開始レバー３３と３つのリール停止ボタン３４〜３６と、サイドランプ３８と、ドア開閉キー３９とが設けられている。
【００１７】
また、ドア部４には、中段フレーム１２の下側に装飾パネル４０が設けられ、装飾パネル４０の下側にスピーカ４１〜４４とメダル払出口４５が設けられ、メダル払出口４５の下側にメダル受け皿４６が設けられている。尚、メダル受け皿４６の左端部に灰皿４７が設けられている。
【００１８】
図２に示すように、筐体２の内部の上半部に、主制御基板５０、中央分電基板５１、副制御基板５２、外部集中端子板５３、３つの回転リール５４〜５６、３つのリール回転モータを有するリール駆動装置５７等が設けられ、筐体２の内部の下半部に、メダル払出装置５８等と、電源回路基板６５（図３等参照）を有する本願特有の基板ボックス６０が設けられている。
【００１９】
前記基板ボックス６０について詳細に説明する。尚、図３の矢印で示す上方前方左方を上方前方左方として説明する。
図３〜図７に示すように、基板ボックス６０は、ボックス本体６１、ボックス本体６１の内部に収容される電源回路基板６５、ボックス本体６１の外部に露出又は臨ませる部分を有する複数の外部側電気部品７０〜８０とを備えている。複数の外部側電気部品７０〜８０の全ては、ボックス本体６１に対して非固着状態にして電源回路基板６５に実装されて電気的に接続されている。
【００２０】
ボックス本体６１は、前壁６１ａ、上壁６１ｂ、後壁６１ｃ、右側壁６１ｄを有する縦長形状に形成され、その左面側に電源回路基板６５を出し入れ可能な開口部６１ｅを有し、その下面側にも開口部６１ｆを有する。そして、開口部６１ｆを筐体２の底壁２ａの上面に当接させた状態で、開口部６１ｅが筐体２の左側壁２ｂの内面に近接又は当接して、これら開口部６１ｅ，６１ｆを閉塞するように、ボックス本体６１が取付金具６２と複数のビス６２ａ，６２ｂを介して筐体２に取外し可能に装着されている。
【００２１】
尚、取付金具６２はＬ形に形成され、その取付金具６２の鉛直板部がビス６２ａでボックス本体６１の前壁６１ｂに締結され、取付金具６２の水平板部がビス６２ｂで筐体の底壁２ａに締結されている。尚、上壁６１ｂと右側壁６１ｄの上端部とに、多数の長孔からなる通気孔６１ｇが形成されている。
【００２２】
電源回路基板６５は開口部６１ｅ（つまり、右側壁６１ｄ）よりもやや小さな矩形板状に形成され、この電源回路基板６５がボックス本体６１の内部に収容された状態で、その４隅付近部が右側壁６１ｄから左方へ突出する４つのボス部６３に夫々ビス６３ａにより内側から締結されている。つまり、ボックス本体６１に電源回路基板６５がビス６３ａを介して取外し可能に固定されている。
【００２３】
電源回路基板６５の前端部分に上側から下側に向かって、外部側電気部品である設定キースイッチ７０とリセットスイッチ７１と打ち止めスイッチ７２と自動清算スイッチ７３と電源動作表示ランプ７４とヒューズを含むヒューズホルダ７５と電源スイッチ７６が実装されている。また、電源回路基板６５には、外部側電気部品である主基板コネクタ７７とホッパー入出力コネクタ７８とＡＣ出力コネクタ７９とＡＣ入力コネクタ８０が実装されている。
【００２４】
複数の外部側電気部品７０〜８０の一部をボックス本体６１の内部から外部へ露出又は臨ませる複数の開口７０ａ〜８０ａが、外部側電気部品７０〜８０の取付け位置に夫々合わせてボックス本体６１に形成されている。外部側電気部品７０〜７６の一部はボックス本体６１の前側へ露出するように配置され、これら外部側電気部品７０〜７６に対応する開口７０ａ〜７６ａは前壁６１ａに形成されている。
【００２５】
外部側電気部品７７の一部はボックス本体６１の上側へ臨むように配置され、この外部側電気部品７７に対応する開口７７ａは上壁６１ｂに形成され、また、外部側電気部品７８〜８０の一部がボックス本体６１の左側へ臨むように配置され、これら外部側電気部品７８〜８０に対応する開口７８ａ〜８０ａは右側壁６１ｄに形成されている。
【００２６】
尚、設定キースイッチ７０、リセットスイッチ７１、打ち止めスイッチ７２、自動清算スイッチ７３、電源動作表示ランプ７４、ヒューズホルダ７５、電源スイッチ７６、の作動説明は図８に示す通りである。尚、電源基板回路６５のその他の構成については説明を省略する。
【００２７】
以上説明したように、このスロットマシン１によれば、基板ボックス６０が、ボックス本体６１と、ボックス本体６１の内部に収容される電源回路基板６５と、ボックス本体６１の外部に露出又は臨ませる部分を有する複数の外部側電気部品７０〜８０とを備え、複数の外部側電気部品７０〜８０の全てを電源回路基板６５に実装した。従って、複数の外部側電気部品７０〜８０と電源回路基板６５とを電気的に接続する接続構造を簡単化することができる。
【００２８】
しかも、ボックス本体６１を筐体２に取外し可能に装着し、このボックス本体６１に電源回路基板６５を取外し可能に固定したので、複数の外部側電気部品７０〜８０を取付ける取付構造を著しく簡単化することができ、製作コストの大幅な低減を期待することができる。
【００２９】
そして、複数の外部側電気部品７０〜８０を取付ける際には、先ず、電源回路基板６５に複数の外部側電気部品７０〜８０を実装した後、この電源回路基板６５をボックス本体６１に収容して固定し、次に、ボックス本体６１を筐体２に装着することで容易に行うことができ、逆に、複数の外部電気部品７０〜８０を交換やメンテナンスする際にも容易に取外すことができる。
【００３０】
しかも、複数の外部側電気部品７０〜８０を、ボックス本体６１に対して非固着状態にして電源回路基板６５に実装したことにより、ボックス本体６１に対して、電源回路基板６５と共に複数の外部側電気部品７０〜８０の取付けと取外しを容易に行うことが可能となる。
【００３１】
ボックス本体６１に、その左面側に電源回路基板６５を出し入れ可能な開口部６１ｅを形成し、開口部６１ｅが筐体２の左側壁２ｂの内面に近接又は当接し、開口部６１ｆを筐体２の底壁２ａの上面に当接して、これら開口部６１ｅ，６１ｆを閉塞するように、ボックス本体６１を配置したので、ボックス本体６１への電源回路基板６５の出し入れが容易になると共に、ボックス本体６１を簡単な構造にして、ボックス本体６１の内部に電源回路基板６５等を外部と確実に遮蔽して収容することができる。
【００３２】
次に、変更形態について説明する。
１〕前記複数の外部側電気部品７０〜８０の少なくとも一部品を、ボックス本体６１に対して非固着状態にするのではなく、何らかの固着手段で部分的に固着した状態で、電源回路基板６５に実装するようにしてもよい。
２〕ボックス本体６１の電源回路基板６５を出し入れ可能な開口部を、左面側にではなく、右面側或いは後面側に形成してもよい。この場合、この開口部を筐体２の右側壁或いは後壁に近接又は当接するように、ボックス本体６１を配置することが好ましい。また、ボックス本体６１を完全な箱状にすることも可能であり、この場合、ボックス本体６１を分割可能に構成すればよい。
【００３３】
３〕前記複数の外部側電気部品として、設定キースイッチ７０、リセットスイッチ７１、打ち止めスイッチ７２、自動清算スイッチ７３、電源動作表示ランプ７４、ヒューズホルダ７５、電源スイッチ７６、主基板コネクタ７７、ホッパー入出力コネクタ７８、ＡＣ出力コネクタ７９、ＡＣ入力コネクタ８０の全てを設ける必要はなく、これらの内の少なくとも１つを設けたものとしてもよいし、これら以外の外部側電気部品を設けてもよい。例えば、設定値を表示する表示器を外部側電気部品として設けてもよい。
【００３４】
尚、本発明を逸脱しない範囲において、種々の変更を付加して実施することが可能であるし、前記スロットマシン以外の種々のスロットマシンに本発明を適用することが勿論可能である。
【００３５】
【発明の効果】
本願のスロットマシンによれば、特に、基板ボックスが、筐体に取外し可能に装着されたボックス本体、このボックス本体の内部に収容される電源回路基板、ボックス本体の外部に露出又は臨ませる部分を有する複数の外部側電気部品を備え、複数の外部側電気部品の全てを電源回路基板に実装し、ボックス本体が、少なくともその一面側に電源回路基板を出し入れ可能な開口部を有し、電源回路基板をボックス本体の開口部と反対側の側壁に固定し、前記開口部が筐体の内面に近接又は当接して、その開口部を筐体の内面で閉塞するように、ボックス本体を配置したので、これら外部側電気部品と電源回路基板とを電気的に接続する接続構造、及び、これら外部側電気部品の取付構造を簡単化し、製作コスト的に有利になり、電源回路基板と一体的に行う複数の外部側電気部品の取付け作業及び取外し作業が簡単になる。
【図面の簡単な説明】
【図１】本発明の実施形態に係るスロットマシンの正面図である。
【図２】スロットマシンのドア部を開放した状態の正面図である。
【図３】基板ボックスの分解斜視図である。
【図４】基板ボックスの正面図である。
【図５】図４のＶ矢視図である。
【図６】図４のVI矢視図である。
【図７】図４のVII 矢視図である。
【図８】外部側電気部品のスイッチ類等の作動説明を示す図表である。
【符号の説明】
１              スロットマシン
２              筐体
３０〜３６      遊技操作部
６０            基板ボックス
６１            ボックス本体
６１ｅ          開口部
６５            電源回路基板
７０〜８０      外部側電気部品
７０ａ〜８０ａ  開口
【図１】
0003745998.tif 000002
【図２】
0003745998.tif 000003
【図３】
0003745998.tif 000004
【図４】
0003745998.tif 000005
【図５】
0003745998.tif 000006
【図６】
0003745998.tif 000007
【図７】
0003745998.tif 000008
【図８】
0003745998.tif 000009